(57)【要約】【課題】通気を確保しつつ見栄えのよい全館空調用建具を提供することを目的とする。【解決手段】建物に全館空調システムを導入した際に、室内と室外との間の開口部３に設けられる全館空調用建具１０が、中央に配置される中央板１１と、左右両側に配置される端部用板１２，１３と、中央板１１と左右の端部用板１２，１３との間に形成されるスリット１４，１４と、スリット１４，１４を保持した状態で中央板１１と左右の端部用板１２，１３とを接合する複数の接合部材１５と、を備える。中央板１１の左右両側端部と左右の端部用板１２，１３における中央板側端部のうち、一方は断面視において中央が凹む凹状部２０とされ、他方は断面視において中央が出っ張る凸状部３０とされている。そして、凸状部３０の突端は、凹状部２０の突端よりも当該凹状部２０の凹み側に入り込んだ位置に配置されている。【選択図】図１
2015140547.tif 000002
【特許請求の範囲】
【請求項１】
建物に全館空調システムを導入した際に、室内と室外との間の開口部に設けられる全館空調用建具において、
中央に配置される中央板と、
前記中央板の左右両側に配置される端部用板と、
前記中央板と前記左右の端部用板との間に形成されるスリットと、
前記スリットを保持した状態で前記中央板と前記左右の端部用板とを接合する複数の接合部材と、を備えており、
前記中央板の左右両側端部と前記左右の端部用板における中央板側端部のうち、一方は断面視において中央が凹む凹状部とされ、他方は断面視において中央が出っ張る凸状部とされており、
前記凸状部の突端は、前記凹状部の突端よりも当該凹状部の凹み側に入り込んだ位置に配置されていることを特徴とする全館空調用建具。
【請求項２】
請求項１に記載の全館空調用建具において、
前記接合部材の長さ寸法は、前記中央板の左右両側端部に形成される接合部材差込用の穴の深さ寸法と、前記左右の端部用板の中央板側端部に形成される接合部材差込用の穴の深さ寸法とを足し合わせた寸法よりも長く設定されていることを特徴とする全館空調用建具。
【請求項３】
請求項１または２に記載の全館空調用建具において、
前記中央板と前記左側の端部用板とを接合する前記接合部材と、前記中央板と前記右側の端部用板とを接合する前記接合部材は、建具の上下方向における上端と中央と下端の少なくとも三箇所以上に配置されていることを特徴とする全館空調用建具。
【請求項４】
請求項１〜３のいずれか一項に記載の全館空調用建具において、
前記接合部材は、その直径が建具自体の厚み寸法よりも短く設定された略円柱状のダボであることを特徴とする全館空調用建具。
【請求項５】
請求項１〜４のいずれか一項に記載の全館空調用建具において、
前記中央板と前記左右の端部用板の上端面間および下端面間に架け渡されて固定される連結部材を備えることを特徴とする全館空調用建具。
【発明の詳細な説明】
【技術分野】
【０００１】
本発明は、住宅等の建物に全館空調システムを導入した際に用いられる全館空調用建具に関する。
【背景技術】
【０００２】
従来、住宅等の建物に設けられ、複数の部屋全体を一台の空調機で効率よく換気や冷暖房を行うことが可能な全館空調システムが知られている（例えば特許文献１参照）。
空調機から建物内の各部屋に供給された空気は、例えば廊下等に設けられたリターン口を通じて排出されるため、部屋と廊下等との間には通気口が設けられる。すなわち、例えば部屋と廊下等との間の壁に通気用の欄間を設けたり、ガラリ付きの通気用孔を設けたりする場合がある。特許文献１に記載の全館空調システムにおいては室内ドア等の建具に通気口が設けられており、建物内に空気を循環させる際に、空気が当該通気口を通過するように構成されている。
【先行技術文献】
【特許文献】
【０００３】
【特許文献１】特開２０１２−０２１７５８号公報
【発明の概要】
【発明が解決しようとする課題】
【０００４】
ところで、建具に通気口を設ける場合には、例えば建具に形成された開口に複数の羽板が取り付けられてなるガラリ等が採用される場合があった。このようなガラリには、室内と室外との間における視線を遮りつつ、通気を確保できるという利点がある。
しかしながら、建具に設けられるガラリは、特に隠されているわけではなく、正面から見て目立つ存在であるため、建具自体の見栄えを損ねる場合があった。
【０００５】
本発明の課題は、通気を確保しつつ見栄えのよい全館空調用建具を提供することを目的とする。
【課題を解決するための手段】
【０００６】
請求項１に記載の発明は、例えば図１〜図５に示すように、建物に全館空調システムを導入した際に、室内（例えば部屋１）と室外（例えば廊下２）との間の開口部３に設けられる全館空調用建具１０において、
中央に配置される中央板１１と、
前記中央板１１の左右両側に配置される端部用板１２，１３と、
前記中央板１１と前記左右の端部用板１２，１３との間に形成されるスリット１４，１４と、
前記スリット１４，１４を保持した状態で前記中央板１１と前記左右の端部用板１２，１３とを接合する複数の接合部材１５（例えばダボ１５）と、を備えており、
前記中央板１１の左右両側端部と前記左右の端部用板１２，１３における中央板側端部のうち、一方は断面視において中央が凹む凹状部２０（２５）とされ、他方は断面視において中央が出っ張る凸状部３０（３５）とされており、
前記凸状部３０（３５）の突端は、前記凹状部２０（２５）の突端よりも当該凹状部２０（２５）の凹み側に入り込んだ位置に配置されていることを特徴とする。
【０００７】
請求項１に記載の発明によれば、中央板１１の左右両側端部と、左右の端部用板１２，１３における中央板側端部のうち、一方は凹状部２０（２５）とされ、他方は凸状部３０（３５）とされているので、スリット１４，１４は、凹状部２０（２５）の表面と凸状部３０（３５）の表面とに沿って形成されることになる。しかも、凸状部３０（３５）の突端は、凹状部２０（２５）の突端よりも当該凹状部２０（２５）の凹み側に入り込んだ位置に配置されているので、スリット１４，１４は、建具１０の一面側から他面側にかけて真っすぐに抜ける単純な形態とは異なり、建具１０の一面側から他面側にかけて、かつ建具１０自体の幅方向に沿って変形した状態（例えば屈曲したり、湾曲したりする状態）となる。
これによって、室内と室外との間における視線を遮りつつ、通気を確保できるのは勿論のこと、建具１０を正面から見た場合に、例えばガラリ等に比してスリット１４，１４の存在が目立たなくなる。さらに、中央板１１と左右の端部用板１２，１３とを接合する複数の接合部材１５も、建具１０を正面から見た場合に目立たないので、見栄えがよくなる。
【０００８】
請求項２に記載の発明は、例えば図２〜図５に示すように、請求項１に記載の全館空調用建具１０において、
前記接合部材１５の長さ寸法は、前記中央板１１の左右両側端部に形成される接合部材差込用の穴１５ａ（例えばダボ穴１５ａ）の深さ寸法と、前記左右の端部用板１２，１３の中央板側端部に形成される接合部材差込用の穴１５ａ（例えばダボ穴１５ａ）の深さ寸法とを足し合わせた寸法よりも長く設定されていることを特徴とする。
【０００９】
請求項２に記載の発明によれば、接合部材１５の長さ寸法は、中央板１１の左右両側端部に形成される接合部材差込用の穴１５ａの深さ寸法と、左右の端部用板１２，１３の中央板側端部に形成される接合部材差込用の穴１５ａの深さ寸法とを足し合わせた寸法よりも長く設定されているので、当該接合部材１５によって中央板１１と左右の端部用板１２，１３とを確実に接合しつつ、中央板１１と左右の端部用板１２，１３との間にスリット１４，１４を確保することができる。
【００１０】
請求項３に記載の発明は、例えば図２に示すように、請求項１または２に記載の全館空調用建具１０において、
前記中央板１１と前記左側の端部用板１２とを接合する前記接合部材１５と、前記中央板１１と前記右側の端部用板１３とを接合する前記接合部材１５は、建具１０の上下方向における上端と中央と下端の少なくとも三箇所以上に配置されていることを特徴とする。
【００１１】
請求項３に記載の発明によれば、中央板１１と左側の端部用板１２とを接合する接合部材１５と、中央板１１と右側の端部用板１３とを接合する接合部材１５は、建具１０の上下方向における上端と中央と下端の少なくとも三箇所以上に配置されているので、当該少なくとも三箇所以上に配置された接合部材１５によって、中央板１１と左右の端部用板１２，１３とをバランス良く確実に接合することができる。
【００１２】
請求項４に記載の発明は、例えば図２〜図５に示すように、請求項１〜３のいずれか一項に記載の全館空調用建具１０において、
前記接合部材１５は、その直径が建具１０自体の厚み寸法よりも短く設定された略円柱状のダボ１５であることを特徴とする。
【００１３】
請求項４に記載の発明によれば、接合部材１５は、その直径が建具１０自体の厚み寸法よりも短く設定された略円柱状のダボ１５であるため、スリット１４，１４を利用した通気の障害になりにくい。これによって、建具１０における良好な通気性を確保することができる。
【００１４】
請求項５に記載の発明は、例えば図４に示すように、請求項１〜４のいずれか一項に記載の全館空調用建具１０において、
前記中央板１１と前記左右の端部用板１２，１３の上端面間および下端面間に架け渡されて固定される連結部材１６を備えることを特徴とする。
【００１５】
請求項５に記載の発明によれば、中央板１１と左右の端部用板１２，１３の上端面間および下端面間に架け渡されて固定される連結部材１６を備えるので、当該連結部材１６によって中央板１１と左右の端部用板１２，１３とを確実に連結することができる。そして、複数の接合部材１５と連結部材１６とを併用して中央板１１と左右の端部用板１２，１３とを繋げることができるので、中央板１１と左右の端部用板１２，１３との間にスリット１４，１４が形成されていても、建具１０自体の強度が低減することを抑制できる。
【発明の効果】
【００１６】
本発明によれば、通気を確保しつつ見栄えのよい全館空調用建具を提供することができる。
【図面の簡単な説明】
【００１７】
【図１】全館空調用建具が室内と室外との間の開口部に設けられた状態を示す断面図である。
【図２】全館空調用建具を示す正面図である。
【図３】中央板と端部用板との接合状態の一例を示す部分拡大断面図である。
【図４】中央板と端部用板との接合状態の他の一例を示す部分拡大断面図である。
【図５】中央板と端部用板との連結状態の一例を示す部分拡大斜視図である。
【発明を実施するための形態】
【００１８】
以下、図面を参照して本発明の実施の形態について説明する。
図１〜図５において符号１０は、全館空調用建具を示す。この全館空調用建具１０は、建物に全館空調システムを導入した際に、図１に示すように、例えば居室等の部屋１である室内と、例えば廊下２等である室外との間の開口部３に設けられるドアである。開口部３は、部屋１と廊下２とを仕切る壁４（内壁）に形成されている。
なお、本実施の形態においては、室内を居室等の部屋１とし、室外を廊下２としたが、これに限られるものではない。
【００１９】
全館空調システムは、図示はしないが、一つの室内機によって建物全館の空調を行うためのものである。
室内機は、例えば天井裏等の収納スペースに収納されており、建物内の各部屋（例えば部屋１）には空気の吹出口が設けられている。また、室内機と吹出口は給気ダクトによって接続されている。さらに、各部屋内の空気は、例えば廊下２等に設けられたリターン口を通じて室内機側に換気される。また、室内機には、リターン口を通じて換気された空気を屋外に排気したり、屋外の新鮮な空気を取り入れたりするためのダクトを備える。
全館空調用建具１０は、このような全館空調システムにおいて、各部屋内の空気をリターン口まで流通させるために必要となる。すなわち、給気ダクトから部屋１に給気された空気は、全館空調用建具１０のスリット１４（後述する）を通じて廊下２に流れるように構成されている。
【００２０】
そして、全館空調用建具１０は、開口部３に設けられたドア枠３ａとセットで用いられる。また、全館空調用建具１０は、蝶番３ｂを介してドア枠３ａに取り付けられている。すなわち、当該全館空調用建具１０は、開き戸として用いられている。ただし、開き戸に限られるものではなく、引戸として用いられてもよいものとする。
当該全館空調用建具１０は、中央板１１と、左右の端部用板１２，１３と、スリット１４，１４と、複数の接合部材１５と、連結部材１６と、ハンドル１７と、を備える。
【００２１】
中央板１１は、全館空調用建具１０の中央に配置されるものであり、端部用板１２，１３よりも幅広に形成されている。
また、中央板１１の左右両側端部は、図１等に示すように、平断面視において中央が凹む凹状部２０，２０とされている。
凹状部２０は、図３に示すように、建具１０の一面側から他面側にかけて円弧状に形成された窪み形状とされている。
【００２２】
左右の端部用板１２，１３は、中央板１１の左右両側に配置されることによって全館空調用建具１０の左右の端部を構成するものであり、左右対称に形成されている。
また、左右の端部用板１２，１３における中央板側端部は、図１等に示すように、平断面視において中央が出っ張る凸状部３０，３０とされている。
凸状部３０は、図３に示すように、建具１０の一面側から他面側にかけて円弧状に形成された膨らみ形状とされている。
【００２３】
スリット１４は、中央板１１と左側の端部用板１２との間、中央板１１と右側の端部用板１３との間のそれぞれに形成される隙間を指している。
当該スリット１４，１４によれば、部屋１と廊下２との間における通気を確保することができる。なお、図１における双方向矢印は、スリット１４，１４を通過する空気の流れを表している。
【００２４】
凹状部２０および凸状部３０、スリット１４についてより詳細に説明すると、凹状部２０および凸状部３０は、建具１０の上下に亘って連続する凹条および凸条とされている。
さらに、図３に示すように、凸状部３０の突端は、凹状部２０の突端よりも当該凹状部２０の凹み（窪み）側に入り込んだ位置に配置されている。すなわち、凹状部２０と凸状部３０は、正面視において重なり合う（オーバーラップする）こととなり、建具１０に正対する場合においては視線が抜けない状態となっている。
なお、凹状部２０の突端とは、当該凹状部２０の凹みの両側（建具１０の一面側付近および他面側付近）に位置する鋭角部分を指している。
そして、スリット１４は、上述のように中央板１１と左右の端部用板１２，１３との間に形成されるため、凹状部２０の表面と凸状部３０の表面とに沿って形成されることになる。
したがって、本実施の形態のスリット１４は、平断面視において、建具１０の一面側から他面側にかけて弧を描くようにして形成されている。換言すれば、当該スリット１４は、直線的ではなく、建具１０自体の幅方向に沿って変形した状態（ここでは湾曲した状態）となる。
また、スリット１４は、建具１０の上下方向に沿って縦長に形成されており、建具１０の上方および下方に向かって開放された状態となっている。
【００２５】
なお、本実施の形態のスリット１４は、上述のように湾曲した状態になっているものとしたが、これに限られるものではない。すなわち、凹状部２０および凸状部３０の断面形状次第で、平断面視におけるスリット１４の形状を変更することができる。
例えば図４に示す例では、前記凹状部２０とは異なる形状の凹状部２５と、前記凸状部３０とは異なる形状の凸状部３５とが採用されている。
凹状部２５は、建具１０の一面側付近および他面側付近に設けられ、先端が鋭角に形成された突出部２６，２６と、当該突出部２６，２６間に位置する断面略コ字状の凹部２７と、を有する。
凸状部３５は、建具１０の一面側および他面側から、当該建具１０の厚み方向中央に向かって徐々に狭まるようにして傾斜する傾斜部３６，３６と、当該傾斜部３６，３６の突端であって、かつ建具１０の厚み方向中央に位置する凸部３７と、を有する。
このような構成の凹状部２５および凸状部３５であれば、当該凹状部２５と凸状部３５との間に形成されるスリット１４は、複数の屈曲部分を有するような状態となる。特に図４に示す例の場合は、凸部３７が傾斜部３６，３６の突端からさらに突出しており、凹状部２５の凹部２７に深く入り込んだ状態となっているため、スリット１４の内部が覗きにくい状態となっている。
【００２６】
また、本実施の形態においては、中央板１１の左右両側端部に凹状部２０（２５）が形成されるものとしたが、これに限るものではなく、左右の端部用板１２，１３の中央板側端部に形成されるものとしてもよい。
同様に、本実施の形態においては、左右の端部用板１２，１３の中央板側端部に凸状部３０（３５）が形成されるものとしたが、これに限られるものではなく、中央板１１の左右両側端部に形成されるものとしてもよい。
さらに、中央板１１の一端部を凹状部２０（２５）とし、他端部を凸状部３０（３５）としてもよい。また、一方の端部用板１２（１３）の中央板側端部を凹状部２０（２５）とし、他方の端部用板１３（１２）の中央板側端部を凸状部３０（３５）としてもよい。
【００２７】
続いて、接合部材１５は、スリット１４，１４を保持した状態で中央板１１と左右の端部用板１２，１３とを接合するものである。
本実施の形態の接合部材１５は、図５等に示すように、その直径が建具１０自体の厚み寸法よりも短く設定された略円柱状のダボ１５である。
また、ダボ１５に対応して、中央板１１の左右両側端部（凹状部２０の凹み部分）と、左右の端部用板１２，１３の中央板側端部（凸状部３０の突端部分）のそれぞれには、接合部材差込用の穴１５ａ、すなわちダボ穴１５ａが建具１０の幅方向に沿って形成されている。
【００２８】
ダボ１５の長さ寸法は、図３に示すように、中央板１１の左右両側端部に形成されたダボ穴１５ａの深さ寸法と、左右の端部用板１２，１３の中央板側端部に形成されたダボ穴１５ａの深さ寸法とを足し合わせた寸法よりも長く設定されている。すなわち、ダボ１５には、中央板１１のダボ穴１５ａと、左右の端部用板１２，１３のダボ穴１５ａの双方に差し込まれた状態において、さらにダボ穴１５ａに入りきらない部分（ダボ中央付近）がある。そして、その部分はスリット１４内に位置している。
【００２９】
また、中央板１１と左側の端部用板１２とを接合するダボ１５と、中央板１１と右側の端部用板１３とを接合するダボ１５は、図２に示すように、建具１０の上下方向における上端と中央と下端の少なくとも三箇所以上に配置されている。
ここで、本実施の形態におけるダボ１５は、三本一セットで、中央板１１と左右の端部用板１２，１３との接合に用いられている。
そして、このような一セットのダボ１５が、建具１０の上下方向における上端と中央と下端の少なくとも三箇所以上に、バランス良く配置された状態となっている。より詳細には、一セットのダボ１５は、中央板１１と左側の端部用板１２との間における上端一箇所と下端一箇所と中央の二箇所、および、中央板１１と右側の端部用板１３との間における上端一箇所と下端一箇所と中央の二箇所の、計八箇所に配置されている。また、これら片側四箇所のダボ１５の各セットは等間隔に配置されている。
【００３０】
なお、本実施の形態においては、一セットのダボ１５は、片側四箇所の計八箇所に配置されるものとしたが、それ以上の箇所に配置されていてもよい。
また、一セットの三本のダボ１５同士も互いに等間隔に配置されている。
【００３１】
続いて、連結部材１６は、図５に示すように、中央板１１と左右の端部用板１２，１３の上端面間および下端面間に架け渡されて固定されるものである。
これに対して、中央板１１の上端面および下端面と、左右の端部用板１２，１３の上端面および下端面のそれぞれには、連結部材１６が挿入される凹溝１６ａが形成されている。
また、本実施の形態の連結部材１６は断面コ字状に形成されており、当該コ字形状の開放部分が建具中央側に向くようにして凹溝１６ａに挿入されている。さらに、当該連結部材１６には、複数のビス孔が形成されており、ビス１６ｂによって中央板１１と左右の端部用板１２，１３に固定されている。
【００３２】
ハンドル１７は、全館空調用建具１０とドア枠３ａとの間に設けられるラッチ機構（図示せず）を操作するためのものである。当該ハンドル１７およびラッチ機構は、ダボ１５に干渉しない位置に配置されている。
【００３３】
本実施の形態によれば、中央板１１の左右両側端部と、左右の端部用板１２，１３における中央板側端部のうち、一方は凹状部２０とされ、他方は凸状部３０とされているので、スリット１４，１４は、凹状部２０の表面と凸状部３０の表面とに沿って形成されることになる。しかも、凸状部３０の突端は、凹状部２０の突端よりも当該凹状部２０の凹み側に入り込んだ位置に配置されているので、スリット１４，１４は、建具１０の一面側から他面側にかけて真っすぐに抜ける単純な形態とは異なり、建具１０の一面側から他面側にかけて、かつ建具１０自体の幅方向に沿って変形した状態となる。
これによって、室内と室外との間における視線を遮りつつ、通気を確保できるのは勿論のこと、建具１０を正面から見た場合に、例えばガラリ等に比してスリット１４，１４の存在が目立たなくなる。さらに、中央板１１と左右の端部用板１２，１３とを接合する複数のダボ１５も、建具１０を正面から見た場合に目立たないので、見栄えがよくなる。
また、一般的な全館空調システムにおいては、部屋（室内）から廊下（室外）に空気を排出するための通気口を建具に設けるよりも、例えば壁に換気用の孔を形成したり、専用の欄間等を設けたりすることが多い。しかしながら、このような換気用の孔や欄間を採用する場合は壁に開口を形成する必要があるため、建物自体の構造強度を考慮すれば、本実施の形態の建具１０のように、建具自体に通気口を形成した方が有利である。換言すれば、本実施の形態の全館空調用建具１０を建物に採用すれば、建物自体の構造強度の維持に貢献できるので好ましい。
【００３４】
また、ダボ１５の長さ寸法は、中央板１１の左右両側端部に形成されるダボ穴１５ａの深さ寸法と、左右の端部用板１２，１３の中央板側端部に形成されるダボ穴１５ａの深さ寸法とを足し合わせた寸法よりも長く設定されているので、当該ダボ１５によって中央板１１と左右の端部用板１２，１３とを確実に接合しつつ、中央板１１と左右の端部用板１２，１３との間にスリット１４，１４を確保することができる。
【００３５】
また、中央板１１と左側の端部用板１２とを接合する一セットのダボ１５と、中央板１１と右側の端部用板１３とを接合する一セットのダボ１５は、建具１０の上下方向における上端と中央と下端の少なくとも三箇所以上に配置されているので、当該少なくとも三箇所以上に配置されたダボ１５によって、中央板１１と左右の端部用板１２，１３とをバランス良く確実に接合することができる。
【００３６】
また、ダボ１５は、その直径が建具１０自体の厚み寸法よりも短く設定された略円柱状のダボ１５であるため、スリット１４，１４を利用した通気の障害になりにくい。これによって、建具１０における良好な通気性を確保することができる。
【００３７】
また、全館空調用建具１０は、中央板１１と左右の端部用板１２，１３の上端面間および下端面間に架け渡されて固定される連結部材１６を備えるので、当該連結部材１６によって中央板１１と左右の端部用板１２，１３とを確実に連結することができる。そして、複数のダボ１５と連結部材１６とを併用して中央板１１と左右の端部用板１２，１３とを繋げることができるので、中央板１１と左右の端部用板１２，１３との間にスリット１４，１４が形成されていても、建具１０自体の強度が低減することを抑制できる。
【符号の説明】
【００３８】
１  部屋
２  廊下
３  開口部
１０  全館空調用建具
１１  中央板
１２  端部用板
１３  端部用板
１４  スリット
１５  接合部材（ダボ）
１６  連結部材
２０  凹状部
２５  凹状部
３０  凸状部
３５  凸状部
【図１】
2015140547.tif 000003
【図２】
2015140547.tif 000004
【図３】
2015140547.tif 000005
【図４】
2015140547.tif 000006
【図５】
2015140547.tif 000007